(57)【要約】【課題】摺接摩擦により発生する樹脂カスが内容物に接触することがなく、スパウトの雄ネジを形成する外周面に内容物の付着がなく、ホーンの超音波振動エネルギーによる封鎖板の環状薄肉脆弱線のクラックがない口栓用スパウトを提供する。【解決手段】下端外周面にフランジを設けた環状台座部１１０　から、雄ネジを外周に設けた螺合筒部１２０　を立設し、螺合筒部の下方内周面に環状接続部１３０　を設け、環状接続部を介して、上端位置が前記螺合筒部の上端位置より高い注出筒部１４０　を立設し、注出筒部を封鎖板１５０　を設けて封止し、封鎖板の一方の面に環状切込み１５１　を設けて、他方の面に環状薄肉脆弱線１５２　を形成し、環状薄肉脆弱線の内側近傍の上面の一側に、上端にプルリング１５４　を接続する支柱１５３　を立設する。【選択図】図１
2004099141.tif 000002
【特許請求の範囲】
【請求項１】
下端外周面にフランジを設けた環状台座部から、雄ネジを外周に設けた螺合筒部を立設し、該螺合筒部の下方内周面に環状接続部を設け、該環状接続部を介して、上端位置が前記螺合筒部の上端位置より高い注出筒部を立設し、該注出筒部を封鎖板を設けて封止し、該封鎖板の一方の面に環状切込みを設けて、他方の面に環状薄肉脆弱線を形成し、該環状薄肉脆弱線の内側近傍の上面の一側に、上端にプルリングを接続する支柱を立設したことを特徴とする口栓用スパウト。
【発明の詳細な説明】
【０００１】
【発明の属する技術分野】
本発明は、液体用紙容器や軟質包装材容器などの注出位置に、超音波シール法により溶着して突設するプラスチック製の口栓用スパウトに関するものである。
【０００２】
【従来の技術】
従来、食品や非食品の液体内容物に使用される容器としては、例えば、図２（ａ）に示すように、胴部（２１）が四角筒状で、切り妻屋根形の頂部の傾斜板（２２）に、使用時の使い易さを考慮して、スパウト（１００）（注出口具）とキャップ（２００）とからなる口栓（１０）を突設した液体用紙容器（２０）が、広い用途範囲にわたって大量に使用されていた。
【０００３】
この口栓（１０）は、例えば、図２（ｂ）に示すように、容器（２０）の口栓取付孔（２３）から突出するスパウト（１００）の注出筒部（１４０）にキャップ（２００）を螺着したものであるが、流通時の密封性の完全さやバージン性の確保または使用時の易開封性を兼ね備えるために、スパウトの注出筒部の内側の下方内周面に封鎖板（１５０）を設けて封止し、使用時に開口するため、この封鎖板の下面の所定位置に垂直断面逆Ｖ字状の環状切込み（１５１）を設けて、上面の開口予定位置に環状薄肉脆弱線（１５２）を形成し、この環状薄肉脆弱線の内側近傍の上面の所定の一側に、先端にプルリング（１５４）をもつ支柱（１５３）を立設したものであり、容器を開封するために口栓を開口するときには、キャップ（２００）を螺脱し、スパウト（１００）の注出筒部（１４０）の内側に収容されているプルリング（１５４）内に指先を掛けて上方へ引っ張って、封鎖板（１５０）の環状薄肉脆弱線（１５２）を引き裂いて開口していた。なお、開口したスパウトは、内容物を注出したのちに、キャップの周壁部（２２０）内周面の雌ネジ（２２１）とスパウトの注出筒部の雄ネジ（１４１）とを螺合させてキャップを装着し、再封止していた。
【０００４】
【発明が解決しようとする課題】
しかしながら、上述の従来の口栓は、図２（ｂ）に示すように、キャップ（２００）の天板部（２１０）下面に垂設するインナー封止リング（２１１）の外周面が、スパウトの注出筒部の上端部内周面に密着して封止するものであり、キャップの螺着又は螺脱するときに、スパウトとキャップとの摺接摩擦により樹脂カスが発生してスパウトの注出筒部の内周面に付着し、樹脂カスが内容物と接触することがあった。また、容器を傾斜させて内容物をスパウトの注出筒部先端から注出したのちに、容器を正置したときに、内容物が液だれにより注出筒部の外周（スパウトの雄ネジを形成する外周面）に付着することがあった。また、図２（ｂ）に示すように、口栓（１０）を容器（２０）の口栓取付孔（２３）から突出させて、超音波シール法で容器の内面とスパウトのフランジ（１６０）の上面とを溶着するときに、ホーンから発生する超音波振動エネルギーによって、封鎖板（１５０）の環状薄肉脆弱線（１５２）にクラック（亀裂）を生じて密封性が損なわれることなどがあった。
【０００５】
本発明は、上述の従来の口栓の問題を解決したものであり、摺接摩擦により発生する樹脂カスが内容物に接触することがなく、スパウトの雄ネジを形成する外周面に内容物の付着がなく、ホーンの超音波振動エネルギーによる封鎖板の環状薄肉脆弱線のクラックがない口栓用スパウトを提供するものである。
【０００６】
【課題を解決するための手段】
すなわち、本発明の発明は、下端外周面にフランジを設けた環状台座部から、雄ネジを外周に設けた螺合筒部を立設し、この螺合筒部の下方内周面に環状接続部を設け、この環状接続部を介して、上端位置が前記螺合筒部の上端位置より高い注出筒部を立設し、この注出筒部を封鎖板を設けて封止し、この封鎖板の一方の面に環状切込みを設けて、他方の面に環状薄肉脆弱線を形成し、この環状薄肉脆弱線の内側近傍の上面の一側に、上端にプルリングを接続する支柱を立設したことを特徴とする口栓用スパウトである。
【０００７】
【発明の実施の形態】
次に、本発明の口栓用スパウトの実施の形態について、図を用いて詳細に説明する。
図１は、一実施形態の口栓用スパウトの構造を示す断面図であり、図２（ａ）は、一例の液体用紙容器の斜視図である。図３は、図１の口栓用スパウトにキャップを螺着したときの部分断面図である。
【０００８】
本実施形態の口栓用スパウトは、図２（ａ）に示す液体用紙容器（２０）の頂部傾斜板（２２）に突設する口栓（１０）のスパウト（１００）であり、このスパウト（１００）は、図１に示すように、容器（２０）の口栓取付孔（２３）から突出させて、超音波シール法で容器の内面とスパウトのフランジ（１６０）の上面とを溶着させるものである。スパウトは、低密度ポリエチレンなどの熱可塑性樹脂を用いて、射出成形法により作製するものである。
【０００９】
本実施形態の口栓用スパウト（１００）の構造は、図１に示すように、下端外周面にフランジ（１６０）を設けた環状台座部（１１０）の内周縁部上方に、キャップの雌ネジと螺合する雄ネジ（１２１）を外周に設けた螺合筒部（１２０）を立設し、この螺合筒部の下方内周面に環状接続部（１３０）を設け、この環状接続部を介して、上端位置が螺合筒部（１２０）の上端位置より高い注出筒部（１４０）を立設し、この注出筒部の上端内側を封鎖板（１５０）を設けて封止し、この封鎖板の外周下面に垂直断面逆Ｖ字状の環状切込み（１５１）を設けて、上面（注出筒部の内周面位置）に環状薄肉脆弱線（１５２）を形成し、この環状薄肉脆弱線の内側近傍の上面の一側に、上端にプルリング（１５４）を接続する支柱（１５３）を立設するものである。また、環状台座部（１１０）の上端外周面には、容器に取り付けるときに必要となる仮止め突起（１１１）を、周方向に等間隔で複数個設けるものである。なお、スパウトの開口は、プルリングを上方へ指で引っ張って、注出筒部の上端内側を封鎖板の環状薄肉脆弱線を破断して開口するものである。また、スパウトにキャップを螺着したときに、キャップのインナー封止リングは、外周面をスパウトの螺合筒部の上端部内周に密着するものである。
【００１０】
本実施形態の口栓用スパウト（１００）は、図３に示すように、キャップ（２００）を螺着したときに、キャップの天板部（２１０）下面に垂設するインナー封止リング（２１１）が、従来のスパウトのように注出筒部（１４０）ではなく、螺合筒部（１２０）の上端部内周面に密接するため、キャップの螺着時又は螺脱時に発生する摺接摩擦による樹脂カスは、螺合筒部（１２０）の内側に設けられている注出筒部（１４０）内に混入することがなく、従って、樹脂カスが内容物と接触することがない。
【００１１】
また、本実施形態の口栓用スパウトは、内容物を注出するときに、螺合筒部の内側に設けられている上端位置が螺合筒部の上端位置より高い注出筒部から行うために、内容物の液だれがあっても、注出筒部の外側に設けられている螺合筒部の雄ネジを形成する外周面に内容物が付着することがない。
【００１２】
また、本実施形態の口栓用スパウトは、環状薄肉脆弱線を形成する封鎖板を、螺合筒部の内側に設けられる注出筒部の上端内側に設けており、超音波シール法で容器内面と溶着する環状台座部の下端外周面に設けられているフランジとは、距離があるため、溶着時のホーンの超音波振動エネルギーによる影響を受けにくく、環状薄肉脆弱線に超音波振動エネルギーによるクラックが発生しない。
【００１３】
本発明において、封鎖板の一方の面に設ける環状切込みは、図１に示した実施形態のように注出筒部の内周に沿っている形状のほか、内容物を注出可能な形状であれば任意に形成することができる。また、上述の実施形態では、封鎖板の下面に環状切込みを設け、上面に環状薄肉脆弱線を形成したが、それぞれを設ける面を逆にしてもよい。
【００１４】
なお、本発明の口栓用スパウトは、上述した液体用紙容器のスパウトに使用するだけでなく、軟質包装材料のパウチのスパウトにも使用することもできる。
【００１５】
【発明の効果】
本発明の口栓用スパウトは、キャップを螺着する螺合筒部の内側に、内容物を注出する注出筒部を設け、この注出筒部の上端内側にプルリングで破断する環状薄肉脆弱線をもつ封鎖板を設けて封止する構造であり、キャップとスパウトの摺接摩擦により発生する樹脂カスが内容物に接触することがなく、また、スパウトの外周面に内容物が付着することもなく、また、容器に取り付けるときに、ホーンの超音波振動エネルギーによる封鎖板の環状薄肉脆弱線にクラックを生じることもない。
【図面の簡単な説明】
【図１】本発明の一実施形態の口栓用スパウトの構造を示す断面図である。
【図２】（ａ）は、一例の液体用紙容器の斜視図であり、（ｂ）は、その従来の口栓　の構造を示す断面図である。
【図３】図１に示す口栓用スパウトにキャップを螺着したときの部分断面図である。
【符号の説明】
１０……口栓
２０……容器
２１……胴部
２２……頂部傾斜板
２３……口栓取付孔
１００……スパウト
１１０……環状台座部
１１１……仮止め突起
１２０……螺合筒部
１２１，１４１……雄ネジ
１３０……環状接続部
１４０……注出筒部
１５０……封鎖板
１５１……環状切込み
１５２……環状薄肉脆弱線
１５３……支柱
１５４……プルリング
１６０……フランジ
２００……キャップ
２１０……天板部
２１１……インナー封止リング
２２０……周壁部
２２１……雌ネジ
【図１】
2004099141.tif 000003
【図２】
2004099141.tif 000004
【図３】
2004099141.tif 000005